【事件の表示】
　特許第３１４４５５０号「使い捨ておむつ」の請求項１ないし６に係る特許に対する特許異議の申立てについて、次のとおり決定する。
【結　論】
　訂正を認める。
　特許第３１４４５５０号の請求項１ないし６に係る特許を維持する。
【理　由】
１．手続の経緯
　本件特許第３１４４５５０号は、平成３年６月４日の出願に係る特願平３−１３２９６６号の一部を平成１１年１月７日に新たな特許出願としたものに係り、平成１３年１月５日に設定登録がなされ、平成１３年３月１２日にその特許掲載公報が発行され、その後、土山健二より特許異議の申立てがなされ、取消しの理由が通知され、その指定期間内である平成１４年２月１２日に特許異議意見書の提出とともに訂正請求がなされたものである。
　
２．訂正の適否についての判断
２−１．訂正の内容
  特許権者が求めている訂正の内容は以下の通りのものである。
（１）特許請求の範囲の請求項１の、
「【請求項１】　液透過性のトップシートと、液不透過性のバックシートと、これら両シート間に配置される吸収体とを有する本体を備え、着用者の腹側に位置する腹側部及び背側に位置する背側部それぞれの両側縁部を接合固定して、ウエスト開口部と、一対のレッグ開口部と胴周囲部とを形成し、上記ウエスト開口部及び一対のレッグ開口部それぞれの開口周囲部並びに上記胴周囲部の両側部にそれぞれギャザーを形成したパンツ型の使い捨ておむつであって、
　上記ウエスト開口周囲部、上記レッグ開口周囲部及び上記胴周囲部それぞれの周囲方向の伸縮応力が異なり、
　上記ウエスト開口周囲部、上記胴周囲部、上記レッグ開口周囲部の各部の２０％伸長時の応力（幅５mm、長さ１０mmあたり）の最大値がそれぞれ１０〜１２０ｇ、５０％伸長時の応力（幅５mm、長さ１０mmあたり）の最大値がそれぞれ２０〜１５０ｇ、１００％伸長時の応力（幅５mm、長さ１０mmあたり）の最大値がそれぞれ３０〜２００ｇであることを特徴とする使い捨ておむつ。」を、
「【請求項１】　液透過性のトップシートと、液不透過性のバックシートと、これら両シート間に配置される吸収体とを有する本体を備え、着用者の腹側に位置する腹側部及び背側に位置する背側部それぞれの両側縁部を接合固定して、ウエスト開口部と、一対のレッグ開口部と胴周囲部とを形成し、上記ウエスト開口部及び一対のレッグ開口部それぞれの開口周囲部並びに上記胴周囲部の両側部にそれぞれギャザーを形成したパンツ型の使い捨ておむつであって、
　上記ギャザーは、それぞれ、上記ウエスト開口周囲部、上記レッグ開口周囲部及び上記胴周囲部に設けられた伸縮部材によって形成されており、
　上記ウエスト開口周囲部、上記レッグ開口周囲部及び上記胴周囲部それぞれの周囲方向の伸縮応力が異なり、
　上記ウエスト開口周囲部、上記胴周囲部、上記レッグ開口周囲部の各部の２０％伸長時の応力（幅５mm、長さ１０mmあたり）の最大値がそれぞれ１０〜１２０ｇ、５０％伸長時の応力（幅５mm、長さ１０mmあたり）の最大値がそれぞれ２０〜１５０ｇ、１００％伸長時の応力（幅５mm、長さ１０mmあたり）の最大値がそれぞれ３０〜２００ｇであることを特徴とする使い捨ておむつ。」
と訂正する。
（２）特許請求の範囲の請求項４の
「【請求項４】　上記レッグ開口周囲部と上記胴周囲部とのそれぞれにはギャザーが形成されされており、上記レッグ開口周囲部のギャザーと上記胴周囲部のギャザーとの間の領域には、弾性伸縮部材が存在していないことを特徴とする請求項１乃至３のいずれか記載の使い捨ておむつ。」を、
「【請求項４】　上記レッグ開口周囲部と上記胴周囲部とのそれぞれにはギャザーが形成されされており、上記レッグ開口周囲部のギャザーと上記胴周囲部のギャザーとの間の領域には、伸縮部材が存在していないことを特徴とする請求項１乃至３のいずれか記載の使い捨ておむつ。」
と訂正する。
（３）特許請求の範囲の請求項５の
「【請求項５】　上記弾性伸縮部材が存在しない領域が胴周囲部に沿って、１０〜１００mmの幅で形成されていることを特徴とする請求項１乃至４のいずれか記載の使い捨ておむつ。」を、
「【請求項５】　上記伸縮部材が存在しない領域が胴周囲部に沿って、１０〜１００mmの幅で形成されていることを特徴とする請求項４記載の使い捨ておむつ。」
と訂正する。
（４）明細書の段落【０００８】に記載された、
「使い捨ておむつであって」の後に、
「上記ギャザーは、それぞれ、上記ウエスト開口周囲部、上記レッグ開口周囲部及び上記胴周囲部に設けられた伸縮部材によって形成されており、」
を加入する。
（５）明細書の段落【００１７】の記載中、
「同様に構成され」を、
「同様に配置され」
と訂正する。
（６）明細書の段落【００１８】の記載、
「ウエスト開口周囲部Ａの伸縮部材１１ａ、１１ｂ、とレッグ開口周囲部Ｃの伸縮部材１２ａ、１２ｂと、胴周囲部Ｂの伸縮部材１７ａ、１７ｂとは、それぞれ２０％、５０％、１００％伸長時にそれぞれ伸縮応力〔幅５mm、長さ（伸縮方向の長さ）１０mmあたり。以下同じ〕が１０ｇ〜１２０ｇ、２０ｇ〜１５０ｇ、３０ｇ〜２００ｇを示すものを用いるのが好ましく、本実施例の伸縮部材が２０％、５０％、１００％伸長時にそれぞれ伸縮応力が約６０ｇ、１４０、２２０ｇを示すものが用いられる。」を、
「ウエスト開口周囲部Ａの伸縮部材１１ａ、１１ｂ、レッグ開口周囲部Ｃの伸縮部材１２ａ、１２ｂ及び胴周囲部Ｂの伸縮部材１７ａ、１７ｂは、上記のように、それぞれウエストギャザー１３、レッグギャザー１４ａ、１４ｂ及び胴周囲ギャザー１７を形成し、各部の２０％、５０％、１００％伸長時にそれぞれ伸縮応力〔幅５mm、長さ（伸縮方向の長さ）１０mmあたり。以下同じ〕の最大値がそれぞれ１０ｇ〜１２０ｇ、２０ｇ〜１５０ｇ、３０ｇ〜２００ｇを示すものが用いられる。本実施例では、上記伸縮部材として、２０％、５０％、１００％伸長時にそれぞれ伸縮応力の最大値がそれぞれ約６０ｇ、１４０、２２０ｇを示すものが用いられる。」
と訂正する。
（７）明細書の段落【００２２】の記載中、
「フィットとするように」を、
「フィットするように」
と訂正する。
（８）明細書の段落【００２３】の記載中、
「弾性伸縮部材」を、
「伸縮部材」
と訂正する。
　
２−２．訂正の目的の適否・新規事項の有無・特許請求の範囲の実質的拡張あるいは変更の有無
　上記の訂正事項（１）は、訂正前の請求項１に記載された「ギャザー」を「それぞれ、上記ウエスト開口周囲部、上記レッグ開口周囲部及び上記胴周囲部に設けられた伸縮部材によって形成されて」いるものと特定するものであって、特許請求の範囲の減縮を目的とした明細書の訂正に該当し、明細書の段落【００１０】及び【００１７】に記載された事項の範囲内のものであり、しかも、実質上特許請求の範囲を拡張し、又は変更するものではない。
　訂正事項（２）、（３）および（８）の、「弾性伸縮部材」を、「伸縮部材」とする訂正は、相当する部材について、明細書の他の部分では全て「伸縮部材」と記載されており、「弾性伸縮部材」の記載が誤記であるものと認められ、訂正事項（３）の「請求項１乃至４のいずれか」を「請求項４」とする訂正、訂正事項（５）の「構成」を「配置」とする訂正、及び、訂正事項（７）の「フィットとする」を「フィットする」とする訂正も、訂正前の記載が明らかな誤記と認められるので、上記訂正事項（２）、（３）、（５）、（７）及び（８）は、誤記の訂正を目的とした明細書の訂正に該当する。
　訂正事項（４）及び（６）は、訂正事項（１）により訂正されたギャザーについての記載に明細書の記載を整合させるとともに、「伸縮部材」について明りょうにするものであり、明りょうでない記載の釈明を目的とした明細書の訂正に該当し、訂正事項（１）と同様に、明細書に記載された事項の範囲内のものであり、しかも、実質上特許請求の範囲を拡張し、又は変更するものではない。
　
２−３．訂正の適否についての結論
　したがって、上記の訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書および第２項の規定に適合するので、当該訂正を認める。
　
３．特許異議の申立てについての判断
３−１．本件発明
　上記の訂正が認められたので、本件請求項１乃至６に係る発明は、訂正された特許請求の範囲の請求項１乃至６に記載された以下の事項により特定されるものである。
「【請求項１】　液透過性のトップシートと、液不透過性のバックシートと、これら両シート間に配置される吸収体とを有する本体を備え、着用者の腹側に位置する腹側部及び背側に位置する背側部それぞれの両側縁部を接合固定して、ウエスト開口部と、一対のレッグ開口部と胴周囲部とを形成し、上記ウエスト開口部及び一対のレッグ開口部それぞれの開口周囲部並びに上記胴周囲部の両側部にそれぞれギャザーを形成したパンツ型の使い捨ておむつであって、
　上記ギャザーは、それぞれ、上記ウエスト開口周囲部、上記レッグ開口周囲部及び上記胴周囲部に設けられた伸縮部材によって形成されており、
　上記ウエスト開口周囲部、上記レッグ開口周囲部及び上記胴周囲部それぞれの周囲方向の伸縮応力が異なり、
　上記ウエスト開口周囲部、上記胴周囲部、上記レッグ開口周囲部の各部の２０％伸長時の応力（幅５mm、長さ１０mmあたり）の最大値がそれぞれ１０〜１２０ｇ、５０％伸長時の応力（幅５mm、長さ１０mmあたり）の最大値がそれぞれ２０〜１５０ｇ、１００％伸長時の応力（幅５mm、長さ１０mmあたり）の最大値がそれぞれ３０〜２００ｇであることを特徴とする使い捨ておむつ。
　【請求項２】　上記ウエスト開口周囲部、上記胴周囲部、上記レッグ開口周囲部における各部の５０％伸長時の応力が、ウエスト開口周囲部＞レッグ開口周囲部＞胴周囲部、なる大きさの関係を有することを特徴とする請求項１記載の使い捨ておむつ。
　【請求項３】　上記ウエスト開口周囲部、上記胴周囲部、上記レッグ開口周囲部の各部の２０％伸長時の応力（幅５mm、長さ１０mmあたり）の最大値がそれぞれ１０〜６０ｇ、５０％伸長時の応力（幅５mm、長さ１０mmあたり）の最大値がそれぞれ２０〜１００ｇ、１００％伸長時の応力（幅５mm、長さ１０mmあたり）の最大値がそれぞれ３０〜１５０ｇであることを特徴とする請求項１又は２記載の使い捨ておむつ。
　【請求項４】　上記レッグ開口周囲部と上記胴周囲部とのそれぞれにはギャザーが形成されされており、上記レッグ開口周囲部のギャザーと上記胴周囲部のギャザーとの間の領域には、伸縮部材が存在していないことを特徴とする請求項１乃至３のいずれか記載の使い捨ておむつ。　
　【請求項５】　上記伸縮部材が存在しない領域が胴周囲部に沿って、１０〜１００mmの幅で形成されていることを特徴とする請求項４記載の使い捨ておむつ。
　【請求項６】　上記ウエスト開口周囲部における上記背側部と上記腹側部の５０％伸長時の応力が、異なることを特徴とする請求項１乃至５のいずれか記載の使い捨ておむつ。」
　　
３−２．異議の申立ての理由の概要
　異議申立人土山健二は、下記の甲第１乃至７号証を提出し、本件請求項１、３、４及び５に係る発明は、本件出願の日前の特許出願の願書に最初に添付され、本件特許出願後に公開された明細書及び図面に相当する甲第１号証に記載された発明と同一であるので、特許法第２９条の２の規定により特許を受けることができないものであること、本件請求項１乃至６に係る発明は、甲第２乃至７号証に記載された発明に基づいて当業者が容易に発明をすることができたものであるから、特許法第２９条第２項の規定により特許を受けることができないものであること、本件請求項１に係る特許は、明細書の記載が特許法第３６条第４項及び第５項に規定する要件を満たしていない特許出願に対してなされたものであることを理由に本件請求項１乃至６に係る特許は取り消すべきものである旨を主張している。　
甲第１号証：特開平４−２８９２０１号公報（特願平３−８１００５号に係　　　る公開公報、平成３年３月１９日出願、平成４年１０月１４日公開）
甲第２号証：実願平１−７７１０３号（実開平３−１６９２０号）
　　　　　　のマイクロフィルム（平成３年２月２０日発行）
甲第３号証：特開昭６２−２４３８０６号公報
　　　　　（昭和６２年１０月２４日公開）
甲第４号証：米国特許第２７３３７１５号明細書
　　　　　（１９５６年２月７日特許）
甲第５号証：実公昭３９−１９６３３号公報（昭和３９年７月１１日公告）
甲第６号証：実願５５−１０７５６７号（実開昭５７−３４５０９号）
　　　　　　のマイクロフィルム（昭和５７年２月２３日発行）
甲第７号証：特開平２−４３６４号公報（平成２年１月９日公開）
　
３−３．特許法第２９条の２違反について
３−３−１．先願明細書等に記載された事項
　甲第１号証は、本件出願の日前に出願され、本件出願の日後に出願公開された特願平３−８１００５号の願書に最初に添付された明細書及び図面に相当するものであり、以下の事項が図面とともに記載されている。
（ａ）「この発明は使い捨てのブリーフに関する。このブリーフは使い捨てのおむつや使い捨てのトレニングパンツ等に応用することもできる。」（【０００１】【産業上の利用分野】）
（ｂ）「この発明は少なくとも透水性のトップシートと、不透水性のバックシートとからなり、胴周り開口部と一対の脚周り開口部の各々には開口部の端縁に沿って弾性部材が設けてある使い捨てブリーフを前提にしている。」（【０００６】）
（ｃ）「この発明は、かかるブリーフにおいて胴周り開口部の弾性部材を伸張下にトップシートおよび／またはバックシートに接合してある複数本の弾性リボンで構成し、それらを開口部端縁から股下区域にかけて幅広く配置してある。加えてこれら弾性リボンの伸張応力と伸張倍率とが胴周り近傍に配置してあるもので最も大きく、ブリーフの股下区域寄りでは相対的に小さくしてあることが特徴である。」（【０００７】）
（ｄ）「上述のように胴周り開口部から股下区域にかけて弾性リボンを幅広く配置することで、ブリーフがたとえ非伸縮性の素材からできていても腰周りには伸縮性を持たせることができる。弾性リボンの伸張応力と伸張倍率とを胴周り開口部近傍から股下区域にかけて小さくすることにより胴周りから腰周りにかけて圧迫感を次第に和らげることができる。腰周りで弾性部材が収縮すればそこにギャザーを形成することができる。従ってこの発明によれば、全体的にフィット性が良く、しかも腰周りにおいて皮膚との間の密着面積が少なく、通気性が良好なブリーフを得ることができる。」（【０００９】【作用と効果】）
（ｅ）「図１はブリーフ１の斜視図である。ブリーフ１は、一対の脚周り開口部２と、胴周り開口部３とを有し、脚周り弾性部材４と、胴周り弾性部材５とを取付けてある。図２は、ブリーフ１の分解斜視図である。ブリーフ１は透水性トップシート８と、不透水性バックシート９と、マット状の吸水性コア１０と、脚周り弾性部材４、胴周り弾性部材５とから構成してある。トップ及びバックシート８、９の前後区域１３、１４は腰周り区域を形成し、それらの間に位置する股下区域１５の両側縁には脚周り開口部２の切欠縁１６を形成してある。…（中略）…トップ及び／またはバックシート８、９の股下区域１５には脚周り弾性部材４が、胴周り開口用端部には弾性部材５が配置してある。いずれの弾性部材も好ましくはリボン状であって、それが伸長下に、間欠的にトップシート８及び／またはバックシート９に接着剤で接合してある。こうして構成した積層体はその中央部で縦方向に二つ折りに重ねてその両側縁をヒートシール手段で接合することで図１に示すブリーフ１に構成してある（【００１３】）
（ｆ）「ブリーフ１では、弾性部材４、５の収縮により、脚周り開口部２、胴周り開口部３に多数のギャザーが生じている。この中、胴周り開口部３では、２種類の弾性リボン６，７が開口部３端縁から股下区域１５にかけて幅広く配置してある。開口部３の端縁の近傍では端縁と実質的に平行に配置した複数の弾性リボン６が、また開口部３から股下区域１５寄りには正弦曲線を描いて配置した複数の弾性リボン７がある。正弦曲線は互いにその頂点部分で接触、または重なり合い多数の小さなループ１８を形成している。」（【００１４】）
（ｇ）「図３の分解斜視図は、弾性リボン７を弾性リボン６とほぼ平行に配置した場合の実施例を示している。ブリーフ１はこのように構成することもできる。」（【００１５】）
（ｈ）「いずれの場合においても弾性リボン６は伸張倍率１．２〜３．０倍の範囲で使用してあり、そのときの伸張応力が１００ｍｍ長あたり１５〜１５０ｇである。また弾性リボン７は伸張倍率が１．１〜２．５倍の範囲で使用してあり、そのときの伸張応力が１００ｍｍ長当たり５〜８０ｇである。弾性リボン６の伸張倍率と伸張応力とは弾性リボン７のそれらより常に大きくしておく。各弾性リボン６，７は３００〜１０００デニールのものを使用する。弾性リボン６，７の特性はこれらの範囲において、トップシート、バックシート８，９の素材や接着剤の特性を勘案し、適宜に選べればよい。弾性リボン６、７をこのように構成することでブリーフ１は着用者に対して胴周り開口部３で最も強く密着し、股下区域へ向かうにつれて緩やかに密着するように作ることができる。」（【００１６】）
　
３−３−２．対比・判断
３−３−２−１．請求項１に係る発明について
　本件請求項１に係る発明と、甲第１号証に係る発明とを対比すると、上記（ａ）に摘示したように、「使い捨てブリーフ」が、使い捨てのおむつに応用することができる旨が記載されているので、甲第１号証に係る発明は「パンツ型の使い捨ておむつ」に関するものということができる。
　そして、甲第１号証に係る発明の「透水性トップシート８」、「不透水性バックシート９」、「マット状の吸水性コア１０」、「胴周り開口部３」、「一対の脚周り開口部２」、「腰回り」、及び「弾性部材」は、それぞれ、本件請求項１に係る発明の「液透過性のトップシート」、「液不透過性のバックシート」、「両シート間に配置される吸収体」、「ウエスト開口部」、「一対のレッグ開口部」、「胴周囲部」、及び「伸縮部材」に相当する。
　さらに、甲第１号証に係る発明のブリーフは、上記（ｅ）に摘示するように、股下区域を形成した積層体を中央部で縦方向に二つ折りに重ねてその両側縁をヒートシール手段で接合することでブリーフ１に構成してあるので、「着用者の腹側に位置する腹側部及び背側に位置する背側部それぞれの両側縁部を接合固定して、ウエスト開口部と、一対のレッグ開口部と胴周囲部とを形成し」ているものであり、上記（ｂ）及び（ｃ）に摘示したように、胴周り開口部、一対の脚周り開口部及び腰周り部分に弾性部材を配設しており、該弾性部材によって、胴周り開口部、一対の脚周り開口部及び腰周り部分にギャザーが形成されることは、上記（ｄ）及び（ｆ）に摘示した記載の通りである。
　そうしてみると、本件請求項１に係る発明と甲第１号証に係る発明とは、「液透過性のトップシートと、液不透過性のバックシートと、これら両シート間に配置される吸収体とを有する本体を備え、着用者の腹側に位置する腹側部及び背側に位置する背側部それぞれの両側縁部を接合固定して、ウエスト開口部と、一対のレッグ開口部と胴周囲部とを形成し、上記ウエスト開口部及び一対のレッグ開口部それぞれの開口周囲部並びに上記胴周囲部にそれぞれギャザーを形成したパンツ型の使い捨ておむつであって、
　上記ギャザーは、それぞれ、上記ウエスト開口周囲部、上記レッグ開口周囲部及び上記胴周囲部に設けられた伸縮部材によって形成されている使い捨ておむつ。」
である点で一致している。
　しかし、本件請求項１に係る発明において、「胴周囲部の両側部にギャザーを形成」するのに対し、甲第１号証には、腰周り部分に配設される弾性部材の配設位置が、「両側部」に特定されること及び該弾性部材によって形成されるギャザーが「両側部」に特定されることについて何も記載されておらず、図面には、腰回り弾性部材である弾性リボン６、７が腰周り方向に連続して配設され、ギャザーが腰周り全体に形成されている態様が示されているのみである。
　また、本件請求項１に係る発明において、「ウエスト開口周囲部、レッグ開口周囲部及び胴周囲部それぞれの周囲方向の伸縮応力が異なる」のに対し、甲第１号証には、腰周り部分に配設される弾性リボン６と７との伸縮応力を異なるものとすることは記載されているが、胴周り開口部、脚周り開口部及び腰周り部分に配設される伸縮応力の違いについて記載されていない。
　さらに、本件請求項１に係る発明において「上記ウエスト開口周囲部、上記胴周囲部、上記レッグ開口周囲部の各部の２０％伸長時の応力（幅５mm、長さ１０mmあたり）の最大値がそれぞれ１０〜１２０ｇ、５０％伸長時の応力（幅５mm、長さ１０mmあたり）の最大値がそれぞれ２０〜１５０ｇ、１００％伸長時の応力（幅５mm、長さ１０mmあたり）の最大値がそれぞれ３０〜２００ｇである」と規定している点についても、甲第１号証に係る発明では、腰周り部分に配設される弾性リボン６及び７のそれぞれの使用伸度の範囲と、伸縮応力の範囲を特定するのみで、上記の本件請求項１に記載されたような各部の伸長時の応力を特定していない。
　以上のとおり、本件請求項１に係る発明は、甲第１号証に係る発明の具備しない事項を構成要件として具備するものであるので、甲第１号証に係る発明と同一の発明ということはできない。
　
３−３−２−２．請求項３、４及び５に係る発明について
　本件請求項３、４及び５に係る発明は、いずれも、上記「３−４−２−１．請求項１に係る発明について」で述べたとおりの、甲第１号証に係る発明が具備しない構成の全てを具備しているので、やはり、甲第１号証に係る発明と同一の発明ということはできない。
　
３−３−２−３．異議申立人の主張について
　異議申立人は、本件請求項１に係る発明と、甲第１号証に係る発明との対比において、ウエスト開口周囲部、レッグ開口周囲部及び胴周囲部のそれぞれの周囲方向の伸張応力が異なることの開示の有無、及び上記各部の伸張応力の数値限定の不一致を相違点として挙げているが、上記の「胴周囲部の両側部にギャザーを形成」する点に係る両者の相違について、看過しており、その上での検討に基づく異議申立人の主張は妥当なものとはいえない。
　
３−４．特許法第２９条第２項違反について
３−４−１．証拠
　甲第２号証には、以下の点が図面とともに記載されている。
・「トップシートと、バックシートと、該両シートの間に介在せしめたマットまたはシート状のコアと、該両シートの前後区域間に位置する股下区域の両側縁に形成したレッグホール用切欠縁および該前後区域のウエストホール用端にそれぞれ沿って取り付けたレッグおよびウエスト弾性部材とを有する積層体を縦方向に折り重ねて該前後区域の両側縁を接合することで構成した使い捨てブリーフ」（実用新案登録請求の範囲）
・「本考案は、使い捨てブリーフに関し、さらに詳しくは、使い捨てブリーフ型オムツ・いわゆるトレニングパンツに関する。」（第２頁第５〜７行）
・「ブリーフ１は、伸縮・透水性トップシート６と、伸縮・透水性バックシート７と、マットまたはシート状の吸水性コア８と、前記レッグおよびウエスト弾性部材４、５と、伸縮・不透水性中敷シート９とから構成してある。」（第５頁第１９行〜第６頁第４行）
　甲第３号証には、以下の点が図面とともに記載されている。
・「着用者の肌に接する透水性トップシート、該トップシートと反対側に位置する不透水性バックシートおよび該両シートの間に介在する吸収性コアからなるパンツ本体と、ウエストバンドおよび一対のレッグホールにそれぞれ伸縮ギャザーを作る伸縮部材とを含む使い捨て吸収性パンツにおいて、
　前記パンツ本体は、前記パンツ本体を縦方向に二分する横方向中心線を介して前記トップシートが互いに接する状態で縦方向に折り返され、その状態で前身頃および後見頃の横方向対向側縁において連続線に加圧溶着され、
　前記伸縮部材のうち少なくとも前記レッグホールのそれは前記コアの外側縁から外側へ１０〜１３０mm延びている、
  ことを特徴とする前記パンツ。」（特許請求の範囲（１））
・「本発明は、乳幼児用のおむつ・いわゆるトレーニングパンツ、失禁者用おむつ等として供するための、予め完全なパンツ型に形成された使い捨て吸収性パンツに関する。」（第１頁右下欄第１４〜１７行）
　甲第４号証には、複合おむつ及び幼児用トレーニングパンツに供される幼児用衣料に関する発明（第１欄第１５〜１７行参照）が記載され、パンツ覆い材の腰回り部縦方向に離間した３本の周回弾性バンド２４、２４’、２４”が設けら、その最上部のもの２４は折り返し縁縫い２６に被覆され、パンツ覆い材に縫い込まれた下部の弾性バンドがパンツ覆い材にギャザーを形成すること（第２欄第２８〜４６行参照）が図面とともに記載されている。
　第５号証には、乳児用オムツカバー兼用のパンツについて、腹部と両腿に当たる部分に伸縮用のゴム紐イ、ロを取り付けた普通のパンツ１の前面及び背面にオムツ入れ２を設け（第１頁左欄第３４〜４０行参照）、オムツ入れ２の上方部とパンツ１の中央部には、横にゴム紐ハ、ニを取り付け、その収縮力によって使用中パンツ１および中に入れたオムツｅが動かないように止めておくこと（第１頁右欄第１２〜１６行参照）が図面とともに記載されている。
　甲第６号証には、「復元力の強い伸縮性の強い合成樹脂繊維を伸縮自在になるように加工した編糸により編上げた所望寸法の表裏２枚の四方形の編地２，３を重ね合わせて両者を左右両側端縁において縫合糸４で縫着し、できた筒状体の上端開口縁に復元力のさらに強い伸縮性の強い合成樹脂繊維を伸縮自在になるように加工した編糸によりバンド部５を形成し、また下端開口に中央部をつまみ合せて結束糸６により結束して股部７を形成し、且該股部の左右両側に大腿部挿入用の開口８ａ、８ｂを形成し、次で表裏編地２、３に表編地２には略中央部から上端縁にかけて復元力のさらに強い合成樹脂を伸縮自在になるように加工した編糸により所望の間隔を設けて数条の編込み９をまた下端部に股下７より内側に、３条の編込み１０を形成し、裏編地３には上部約３分の１の個所から前記復元力の強い編糸により所望の間隔に複数条の編込み１１を形成して成る」（第２頁第６行〜第３頁第４行）おむつカバーが図面とともに記載されている。
　甲第７号証には、液体不浸透性の外側カバー、液体浸透性のライナー及びその間の吸収性媒体を含む吸収性アセンブリ、前記吸収性アセンブリと共に１つのウエスト開口部と１対の脚部開口部を形成するように吸収体アセンブリのサイド縁部の各々に結合されている１対の伸縮性サイドパネル及び前記脚部開口部のそれぞれの少なくとも１部分をギャザリングするためこの部分に沿って結合されているギャザリング手段を含んでいる使い捨てパンツに係る発明（特許請求の範囲（１）参照）が図面とともに記載されている。
　
３−４−２．対比・判断
３−４−２−１．請求項１に係る発明について
　異議申立人の主張にならって、上記甲第３号証に記載された発明と本件請求項１に係る発明とを対比する。
　甲第３号証には、使い捨て吸収性パンツは、予めパンツ型に形成され、おむつとして供されることが記載されているので、甲第３号証には「パンツ型の使い捨ておむつ」が記載されていることになり、甲第３号証に記載された「透水性トップシート」、「不透水性バックシート」、「吸収性コア」、「パンツ本体」、「前身頃」、「後身頃」は、それぞれ、本件請求項１に係る発明の「液透過性のトップシート」、「液不透過性のバックシート」、「吸収体」、「本体」、「腹側部」、「背側部」に相当し、甲第３号証に記載されたパンツ本体は、横方向中心線で折り返された状態で前身頃及び後見頃の横方向対向側縁において加圧溶着されているので、腹側部と背側部のそれぞれの両側縁が接合固定されていることになり、甲第３号証におけるウエストバンドはウエスト開口周囲部に形成されることは明らかであるので、両者は、「液透過性のトップシートと、液不透過性のバックシートと、これら両シート間に配置される吸収体とを有する本体を備え、着用者の腹側に位置する腹側部及び背側に位置する背側部それぞれの両側縁部を接合固定して、ウエスト開口部と、一対のレッグ開口部と胴周囲部とを形成し、上記ウエスト開口部及び一対のレッグ開口部それぞれの開口周囲部にそれぞれギャザーを形成したパンツ型の使い捨ておむつであって、上記ギャザーは、それぞれ、上記ウエスト開口周囲部、上記レッグ開口周囲部に設けられた伸縮部材によって形成されている使い捨ておむつ」である点で一致しているが、本件請求項１に係る発明の構成である下記の点について、甲第３号証には何ら記載されていない点で両者は相違している。
（Ａ）胴周囲部の両側部に、伸縮部材によるギャザーが形成される点
（Ｂ）ウエスト開口周囲部、レッグ周囲部及び胴周囲部それぞれの周囲方向の伸縮応力が異なる点
（Ｃ）ウエスト開口周囲部、胴周囲部、レッグ開口周囲部の各部の２０％伸長時の応力（幅５mm、長さ１０mmあたり）の最大値がそれぞれ１０〜１２０ｇ、５０％伸長時の応力（幅５mm、長さ１０mmあたり）の最大値がそれぞれ２０〜１５０ｇ、１００％伸長時の応力（幅５mm、長さ１０mmあたり）の最大値がそれぞれ３０〜２００ｇである点
　そこで上記の相違点について、甲第２号証及び甲第４乃至７号証の記載を検討すると、（Ａ）の点に関して、甲第２号証には、甲第３号証に記載されたものと同様の使い捨てブリーフ型オムツのウエストホール部及びレッグホール部に弾性部材を取り付けることは記載されているが、胴周囲部の両側部に伸縮部材（弾性部材）を取り付けることもギャザーを形成することも記載されておらず、甲第４乃至６号証のいずれにも、それぞれ、オムツの外側をカバーする「パンツ覆い材」、「おむつカバー兼用パンツ」或いは「おむつカバー」の胴周囲部に本件請求項１に係る発明の「伸縮部材」に相当する部材を配置することが記載されているが、それらの伸縮部材はいずれも、胴周囲部の横方向全全周に亘り、あるいは、表裏の幅全体に亘って取り付けられており、「胴周囲部の両側部」にギャザーを形成するものではなく、甲第７号証には、吸収体アセンブリのサイド縁部に伸縮性サイドパネルを結合した使い捨てパンツが記載されているが、上記伸縮性サイドパネルはパンツ本体を構成するものであり、パンツの胴周囲部の両側部に伸縮性を付与することは開示しているが、該部分に伸縮部材によるギャザーを形成することは記載も示唆もしていない。
　すなわち、上記の（Ａ）の点に係る構成は、甲第２及び４乃至７号証のいずれにも記載も示唆もされていない。
　そして、上記の（Ｂ）及び（Ｃ）の点において問題とされる、「胴周囲部」の伸縮応力は、上記「胴周囲部の両側部」に伸縮部材によるギャザーが形成されていることを前提としていることは明らかであるので、他の構成について検討するまでもなく、本件請求項１に係る発明は、甲第２乃至７号証に記載された発明に基づいて当業者が容易に発明をすることができたものとすることはできない。
　
３−４−２−２．請求項２乃至６に係る発明について
　本件請求項２乃至６に係る発明は、請求項１に係る発明の構成を全て包含するものであるので、上記「３−４−２−１．請求項１に係る発明について」の項で述べた理由により、甲第２乃至７号証に記載された発明に基づいて当業者が容易に発明をすることができたものとすることはできない。
　
３−４−２−３．異議申立人の主張について
　異議申立人は、本件請求項１に係る発明と、甲第３号証に記載された発明との対比に際して、甲第２及び３号証に記載のない「胴周囲部にギャザーを形成する」点は、甲第４〜項７号証にも記載されている汎用技術であるから格別な技術的事項ではない旨主張しているが、本件請求項１に係る発明は、上記のように「胴周囲部の両側部にギャザーを形成」するものであり、この点は、上記のように甲第４〜７号証には記載も示唆もされていないので、異議申立人の主張は妥当なものとはいえない。
　
３−５．特許法第３６条違反について
　異議申立人は、本件明細書の特許請求の範囲の請求項１に記載された「最大値」が、測定時の各試料部群内での「最大値」であるのか、各部以内の「最大値」であるのか、或いは他の「最大値」であるのか不明であるので、特許請求の範囲の記載及び発明の詳細な説明の記載が不備である旨を主張している。
　しかしながら、本件明細書の請求項１の「上記ウエスト開口周囲部、上記胴周囲部、上記レッグ開口周囲部の各部の２０％伸長時の応力（幅５mm、長さ１０mmあたり）の最大値がそれぞれ」との記載によれば、当該「最大値」は、ウエスト開口周囲部の２０％伸長時の応力の最大値、胴周囲部の２０％伸長時の応力の最大値の最大値、レッグ開口周囲部の応力の最大値のそれぞれを示すものと解するのが自然であり、他の解釈をしなければならない格別の理由もない。
　したがって、本件明細書の請求項１に係る記載に、異議申立人の主張するような、不備があるものとは認められない。
　
４．むすび
　以上のとおりであるから、特許異議申立ての理由及び証拠によっては、本件請求項１乃至６に係る特許を取り消すことはできない。
　また、他に本件請求項１乃至６に係る特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年３月２７日（２００２．３．２７）
【訂正の要旨】
訂正の要旨
（１）特許請求の範囲の減縮を目的として、特許請求の範囲の請求項１の、
「【請求項１】　液透過性のトップシートと、液不透過性のバックシートと、これら両シート間に配置される吸収体とを有する本体を備え、着用者の腹側に位置する腹側部及び背側に位置する背側部それぞれの両側縁部を接合固定して、ウエスト開口部と、一対のレッグ開口部と胴周囲部とを形成し、上記ウエスト開口部及び一対のレッグ開口部それぞれの開口周囲部並びに上記胴周囲部の両側部にそれぞれギャザーを形成したパンツ型の使い捨ておむつであって、
　上記ウエスト開口周囲部、上記レッグ開口周囲部及び上記胴周囲部それぞれの周囲方向の伸縮応力が異なり、
　上記ウエスト開口周囲部、上記胴周囲部、上記レッグ開口周囲部の各部の２０％伸長時の応力（幅５ｍｍ、長さ１０ｍｍあたり）の最大値がそれぞれ１０〜１２０ｇ、５０％伸長時の応力（幅５ｍｍ、長さ１０ｍｍあたり）の最大値がそれぞれ２０〜１５０ｇ、１００％伸長時の応力（幅５ｍｍ、長さ１０ｍｍあたり）の最大値がそれぞれ３０〜２００ｇであることを特徴とする使い捨ておむつ。」を、
「【請求項１】　液透過性のトップシートと、液不透過性のバックシートと、これら両シート間に配置される吸収体とを有する本体を備え、着用者の腹側に位置する腹側部及び背側に位置する背側部それぞれの両側縁部を接合固定して、ウエスト開口部と、一対のレッグ開口部と胴周囲部とを形成し、上記ウエスト開口部及び一対のレッグ開口部それぞれの開口周囲部並びに上記胴周囲部の両側部にそれぞれギャザーを形成したパンツ型の使い捨ておむつであって、
　上記ギャザーは、それぞれ、上記ウエスト開口周囲部、上記レッグ開口周囲部及び上記胴周囲部に設けられた伸縮部材によって形成されており、
　上記ウエスト開口周囲部、上記レッグ開口周囲部及び上記胴周囲部それぞれの周囲方向の伸縮応力が異なり、
　上記ウエスト開口周囲部、上記胴周囲部、上記レッグ開口周囲部の各部の２０％伸長時の応力（幅５ｍｍ、長さ１０ｍｍあたり）の最大値がそれぞれ１０〜１２０ｇ、５０％伸長時の応力（幅５ｍｍ、長さ１０ｍｍあたり）の最大値がそれぞれ２０〜１５０ｇ、１００％伸長時の応力（幅５ｍｍ、長さ１０ｍｍあたり）の最大値がそれぞれ３０〜２００ｇであることを特徴とする使い捨ておむつ。」
と訂正する。
（２）誤記の訂正を目的として、特許請求の範囲の請求項４の
「【請求項４】　上記レッグ開口周囲部と上記胴周囲部とのそれぞれにはギャザーが形成されされており、上記レッグ開口周囲部のギャザーと上記胴周囲部のギャザーとの間の領域には、弾性伸縮部材が存在していないことを特徴とする請求項１乃至３のいずれか記載の使い捨ておむつ。」を、
「【請求項４】　上記レッグ開口周囲部と上記胴周囲部とのそれぞれにはギャザーが形成されされており、上記レッグ開口周囲部のギャザーと上記胴周囲部のギャザーとの間の領域には、伸縮部材が存在していないことを特徴とする請求項１乃至３のいずれか記載の使い捨ておむつ。」
と訂正する。
（３）誤記の訂正を目的として、特許請求の範囲の請求項５の
「【請求項５】　上記弾性伸縮部材が存在しない領域が胴周囲部に沿って、１０〜１００ｍｍの幅で形成されていることを特徴とする請求項１乃至４のいずれか記載の使い捨ておむつ。」を、
「【請求項５】　上記伸縮部材が存在しない領域が胴周囲部に沿って、１０〜１００ｍｍの幅で形成されていることを特徴とする請求項４記載の使い捨ておむつ。」
と訂正する。
（４）明りょうでない記載の釈明を目的として、明細書の段落【０００８】に記載された、
「使い捨ておむつであって」の後に、
「上記ギャザーは、それぞれ、上記ウエスト開口周囲部、上記レッグ開口周囲部及び上記胴周囲部に設けられた伸縮部材によって形成されており、」
を加入する。
（５）誤記の訂正を目的として、明細書の段落【００１７】の記載中、
「同様に構成され」を、
「同様に配置され」
と訂正する。
（６）明りょうでない記載の釈明を目的として、明細書の段落【００１８】の記載、
「ウエスト開口周囲部Ａの伸縮部材１１ａ、１１ｂ、とレッグ開口周囲部Ｃの伸縮部材１２ａ、１２ｂと、胴周囲部Ｂの伸縮部材１７ａ、１７ｂとは、それぞれ２０％、５０％、１００％伸長時にそれぞれ伸縮応力〔幅５ｍｍ、長さ（伸縮方向の長さ）１０ｍｍあたり。以下同じ〕が１０ｇ〜１２０ｇ、２０ｇ〜１５０ｇ、３０ｇ〜２００ｇを示すものを用いるのが好ましく、本実施例の伸縮部材が２０％、５０％、１００％伸長時にそれぞれ伸縮応力が約６０ｇ、１４０、２２０ｇを示すものが用いられる。」を、
「ウエスト開口周囲部Ａの伸縮部材１１ａ、１１ｂ、レッグ開口周囲部Ｃの伸縮部材１２ａ、１２ｂ及び胴周囲部Ｂの伸縮部材１７ａ、１７ｂは、上記のように、それぞれウエストギャザー１３、レッグギャザー１４ａ、１４ｂ及び胴周囲ギャザー１７を形成し、各部の２０％、５０％、１００％伸長時にそれぞれ伸縮応力〔幅５ｍｍ、長さ（伸縮方向の長さ）１０ｍｍあたり。以下同じ〕の最大値がそれぞれ１０ｇ〜１２０ｇ、２０ｇ〜１５０ｇ、３０ｇ〜２００ｇを示すものが用いられる。本実施例では、上記伸縮部材として、２０％、５０％、１００％伸長時にそれぞれ伸縮応力の最大値がそれぞれ約６０ｇ、１４０、２２０ｇを示すものが用いられる。」
と訂正する。
（７）誤記の訂正を目的として、明細書の段落【００２２】の記載中、
「フィットとするように」を、
「フィットするように」
と訂正する。
（８）誤記の訂正を目的として、明細書の段落【００２３】の記載中、
「弾性伸縮部材」を、
「伸縮部材」
と訂正する。
（５４）【発明の名称】
使い捨ておむつ
（５７）【特許請求の範囲】
　【請求項１】　液透過性のトップシートと、液不透過性のバックシートと、これら両シート間に配置される吸収体とを有する本体を備え、着用者の腹側に位置する腹側部及び背側に位置する背側部それぞれの両側縁部を接合固定して、ウエスト開口部と、一対のレッグ開口部と胴周囲部とを形成し、上記ウエスト開口部及び一対のレッグ開口部それぞれの開口周囲部並びに上記胴周囲部の両側部にそれぞれギャザーを形成したパンツ型の使い捨ておむつであって、
　
上記ギャザーは、それぞれ、上記ウエスト開口周囲部、上記レッグ開口周囲部及び上記胴周囲部に設けられた伸縮部材によって形成されており、
　上記ウエスト開口周囲部、上記レッグ開口周囲部及び上記胴周囲部それぞれの周囲方向の伸縮応力が異なり、
　上記ウエスト開口周囲部、上記胴周囲部、上記レッグ開口周囲部の各部の２０％伸長時の応力（幅５ｍｍ、長さ１０ｍｍあたり）の最大値がそれぞれ１０〜１２０ｇ、５０％伸長時の応力（幅５ｍｍ、長さ１０ｍｍあたり）の最大値がそれぞれ２０〜１５０ｇ、１００％伸長時の応力（幅５ｍｍ、長さ１０ｍｍあたり）の最大値がそれぞれ３０〜２００ｇであることを特徴とする使い捨ておむつ。
　【請求項２】　上記ウエスト開口周囲部、上記胴周囲部、上記レッグ開口周囲部における各部の５０％伸長時の応力が、ウエスト開口周囲部＞レッグ開口周囲部＞胴周囲部、なる大きさの関係を有することを特徴とする請求項１記載の使い捨ておむつ。
　【請求項３】　上記ウエスト開口周囲部、上記胴周囲部、上記レッグ開口周囲部の各部の２０％伸長時の応力（幅５ｍｍ、長さ１０ｍｍあたり）の最大値がそれぞれ１０〜６０ｇ、５０％伸長時の応力（幅５ｍｍ、長さ１０ｍｍあたり）の最大値がそれぞれ２０〜１００ｇ、１００％伸長時の応力（幅５ｍｍ、長さ１０ｍｍあたり）の最大値がそれぞれ３０〜１５０ｇであることを特徴とする請求項１又は２記載の使い捨ておむつ。
　【請求項４】　上記レッグ開口周囲部と上記胴周囲部とのそれぞれにはギャザーが形成されされており、上記レッグ開口周囲部のギャザーと上記胴周囲部のギャザーとの間の領域には
、伸
　【請求項５】　上
記伸
項４記
　【請求項６】
　上記ウエスト開口周囲部における上記背側部と上記腹側部の５０％伸長時の応力が、異なることを特徴とする請求項１乃至５のいずれか記載の使い捨ておむつ。
【発明の詳細な説明】
　【０００１】
　【産業上の利用分野】
　本発明は、幼児用、大人用あるいは失禁者用の使い捨ておむつに関し、特に、いわゆるパンツ型おむつに関する。
　【０００２】
　【従来の技術】
　一般に、パンツ型おむつは、特開昭６１−２０７６０５号公報に開示されているように、液透過性のトップシートと、液不透過性のバックシートと、これら両シート間に介在された吸収体とからなる縦長の本体を備え、該本体は、着用時に着用者の腹側に位置する腹側部と背側に位置する背側部とに分けられている。そして、本体の長手方向に沿う両側に形成された左右一対のサイドフラップにおいて腹側部と背側部とを互いに接合固定して左右一対のレッグ開口部及び一つのウエスト開口部が形成されている。
　【０００３】
　この種のパンツ型おむつは、一対のレッグ開口周囲部及び一つのウエスト開口周囲部をそれぞれ伸縮自在に形成して体型にフィットするように構成されており、通常、着用者自らが立位の状態で着用することができるので、幼児の「おむつ離れ」を促進するためのトイレットトレーニング用として、または失禁者用もしくは歩行可能な成人用として用いられている。
　【０００４】
　パンツ型おむつは、いわゆるフラット型のおむつに比較して、通常の下着と同様に着用者が自分で上げ下げが容易で且つ介護者が着用させ易いという点に特徴を有するもので、着用者自身が排泄物を漏らさないように、しかも容易に装着できるようにするためには、パンツ型の使い捨ておむつは優れたフィット性を有していることが要求される。さらに、着用者の活発な活動に対しても十分な追従性を有することが要求される。
　【０００５】
　【発明が解決しようとする課題】
　しかしながら、従来のパンツ型おむつにおいては、ウエスト開口周囲部からレッグ開口周囲部にかけて一様に伸縮弾性部材（伸縮部材）が配されている場合、着用者の身体形状は、一様でなく、股部からウエスト部の間において窪んだ略鼓型形状をしているため、ウエスト開口周囲部とレッグ開口周囲部とにはフィットするが、着用者の胴周囲部には充分にフィットできないという不都合がある。
　【０００６】
　このように着用者に確実にフィットできないと、着用者とおむつの間の隙間から排泄物が漏れたり、着用者の活動に対して追従性に欠け、おむつがずり落ちるといった問題がある。
　一方、ウエスト開口周囲部からレッグ開口周囲部にかけての伸縮弾性部材の伸縮力を、フィット性に最も困難な箇所、にあわせて一様に強くしたのでは、必要以上に着用者に圧迫感を感じさせ装着感に著しく劣るという問題点がある。
　【０００７】
　従って、本発明の目的は、吸収性物品の排泄物の防漏性及び着用者への追従性に優れたパンツ型の使い捨ておむつを提供することにある。
　【０００８】
　【課題を解決するための手段】
　本発明は、液透過性のトップシートと、液不透過性のバックシートと、これら両シート間に配置される吸収体とを有する本体を備え、着用者の腹側に位置する腹側部及び背側に位置する背側部それぞれの両側縁部を接合固定して、ウエスト開口部と、一対のレッグ開口部と胴周囲部とを形成し、上記ウエスト開口部及び一対のレッグ開口部それぞれの開口周囲部並びに上記胴周囲部の両側部にそれぞれギャザーを形成したパンツ型の使い捨ておむつであって、
上記ギャザーは、それぞれ、上記ウエスト開口周囲部、上記レッグ開口周囲部及び上記胴周囲部に設けられた伸縮部材によって形成されており、
　【０００９】
　【作用】
　本発明によるパンツ型の使い捨ておむつによれば、上記ウエスト開口周囲部と一対のレッグ開口周囲部と胴周囲部との各部における伸縮応力がそれぞれ伸長の程度に応じて異なり、それぞれの部分に応じた伸縮応力を付与するので、着用者の身体形状に応じて各身体の部分に個別にフィットし、着用者を圧迫することなく効果的に漏れ及びずり落ちを防止することができる。
　【００１０】
　【実施例】
　以下に、添付図面の図１乃至図３を参照し乍ら本発明の好ましい第１の実施例を詳細に説明する。
　パンツ型おむつ１は、その展開した状態を図１及び図２に示すように、液透過性のトップシート２と、液不透過性のバックシート３と、これら両シート間に配置される吸収体４とを有する本体５を備え、該本体５は、着用時に着用者の腹側に位置する腹側部６と、背側に位置する背側部７とに区分されており、腹側部６と背側部７との両側縁部６ａ、６ｂ、７ａ、７ｂを接合固定して、図３に示すパンツ型を形成し、ウエスト開口周囲部Ａと一対のレッグ開口周囲部Ｃとが形成されるようになっている。更に、ウエスト開口周囲部Ａと一対のレッグ開口周囲部Ｃとの間に胴周囲部Ｂが形成されている。ウエスト開口周囲部Ａと、各レッグ開口周囲部Ｃとには、それぞれ、吸収体４から一定の距離をあけて伸縮部材１１ａ、１１ｂ、１２ａ、１２ｂが張設されており、ウエストギャザー１３、レッグギャザー１４ａ、１４ｂが形成されている。また、胴周囲部Ｂには、ウエスト開口周囲部Ａ及びレッグ開口周囲部Ｃと同様に、伸縮部材１７ａ、１７ｂが張設され胴周囲ギャザーを形成しているが、該伸縮部材１７ａ、１７ｂは一端が吸収体にかかり、他端が両側縁部６ａ、６ｂ、７ａ、７ｂまで延出されている。
　【００１１】
　上記トップシート２は、排泄物を吸収体４へ透過させる液透過性シートで肌着に近い感触を有したものが好ましく、このような液透過性シートとしては、例えば、織布、不織布、多孔性フィルム等が好ましい。また、トップシート２の周縁部にシリコン系油剤、パラフィンワックス等の疎水性化合物を塗布する方法や、予めアルキルリン酸エステルのような親水性化合物を塗布し、周縁を温水で洗浄する方法により撥水処理を施し、周縁部における尿等の滲みによる漏れを防止することができる。
　【００１２】
　バックシート３は、熱可塑性樹脂にフィラーを加えて延伸した液不透過性且つ蒸気を透過させる蒸気透過性のシートが用いられ、肌着に近い感触を有したもの、例えば、フィルムと不織布との複合材、あるいはフィルムと織布との複合材料等が用いられる。
　吸収体４は、略中央がくびれた砂時計型形状に形成されていることが好ましく、長手方向の長さＬ１が好ましくは３００ｍｍ乃至６００ｍｍ、本実施例では約４００ｍｍ、くびれ部分の幅Ｌ２は好ましくは８０ｍｍ乃至１１０ｍｍ、本実施例では約９０ｍｍに形成されている。吸収体４の腹側、背側における幅Ｌ３は、好ましくは１２０ｍｍ乃至３５０ｍｍ本実施例では約１６０ｍｍ、吸収体４から延出するサイドフラップの幅Ｌ４は好ましくは１０ｍｍ乃至１５０ｍｍ本実施例では約１００ｍｍ、両側縁部Ｌ５は、好ましくは５ｍｍ乃至３０ｍｍ本実施例では約１０ｍｍである。
　【００１３】
　吸収体４の材料としては、解繊パルプを主材とし、高分子吸水ポリマーを併用したものが好ましく、その他、熱可塑性樹脂、セルロース繊維、あるいは高分子吸水ポリマーの混合物に熱処理したものが好ましい。高分子吸水ポリマーの存在位置は上層、中層、下層のいずれであってもよく、パルプと混合したものであってもよい。高分子吸水ポリマーは自重の２０倍以上の液体を吸収して保持する性能を有し、ゲル化する性質を有する粒子状のものが好ましく、このような高分子吸水ポリマーとしては、デンプン−アクリル酸（塩）グラフト共重合体のケン化物、ナトリウムカルボキシメチルセルロースの架橋物、アクリル酸（塩）重合体等が好ましい。
　【００１４】
　本体５において、吸収体４の長手方向の両端縁には、ここから外方へ延出する一対のウエストフラップ１５ａ、１５ｂと上記吸収体４の両側縁から幅方向外方へ延出する左右一対のサイドフラップ１６、１６とが設けられている。各ウエストフラップ１５ａ、１５ｂそれぞれには上述のウエスト開口周囲部Ａの伸縮部材１１ａ、１１ｂが張設されており、左右一対のサイドフラップ１６、１６それぞれにはレッグ開口周囲部Ｃの伸縮部材１２ａ、１２ｂが張設されている。
　【００１５】
　更に、ウエスト開口周囲部Ａとレッグ開口周囲部Ｃの中間にある胴周囲部Ｂには、伸縮部材１７ａ、１７ｂが張設されている。そして、背側と腹側のサイドフラップ１６ａ、１６ｂの両側縁でそれぞれ部分的に接合固定して、図３に示すように、ウエスト開口周囲部Ａ及び左右一対のレッグ開口周囲部Ｃ、胴周囲部Ｂを形成するようになっている。
　【００１６】
　尚、ウエストフラップ１５ａ、１５ｂとサイドフラップ１６、１６とは、それぞれトップシート２とバックシート３の重ね合わせ部分でもって本体５に一体に形成されている。
　ウエスト開口周囲部Ａとレッグ開口周囲部Ｃに張設される伸縮部材１１ａ、１１ｂ、１２ａ、１２ｂは２００％以上の伸縮率を有し、天然ゴム、合成ゴム、発泡ポリウレタンなどからなる複数本の糸状体としてまたは帯状体としてトップシート２とバックシート３とに連続的に接合されている。
　【００１７】
　従って、ウエスト開口周囲部Ａの伸縮部材１１ａ、１１ｂはウエスト開口周囲部Ａの周囲に沿って連続して配置され、ウエストギャザー１３を形成することになる。一方、レッグ開口周囲部Ｃの伸縮部材１２ａ、１２ｂは、レッグ開口周囲部Ｃを形成した時に、レッグギャザー１４ａ、１４ｂを形成することになる。
　また、胴周囲部Ｂの伸縮部材１７ａ、１７ｂも、上述のウエスト開口周囲部Ａ及びレッグ開口周囲部Ｃのそれぞれの伸縮部材１１ａ、１１ｂ、１２ａ、１２ｂと同様に
配置
　【００１８】
　ウエスト開口周囲部Ａの伸縮部材１１ａ、１１ｂ
、レ
及び
は、上記のように
ウエストギャザー１３、レッグギャザー１４ａ、１４ｂ及び胴周囲ギャザー１７を形成し、各部の
の最大値
それぞれ
が用いられる。
では、上記
として、
の最大値
それぞれ
　【００１９】
　尚、図２、図３に示すウエスト開口周囲部Ａ、胴周囲部Ｂ、レッグ開口周囲部Ｃは、図４に示すように、着用者である幼児のウエストａ、腰骨部ｂ、股の付け根付近ｃに対応して設けられるものである。
　レッグ開口周囲部Ｃの周囲長は着用者の鼠蹊部上を通過しているので活動、姿勢の影響を大きく受ける。即ち、幼児の体型は一般に、腰骨部ｂがウエスト部ａ、股の付け根付近ｃに比べて細くくびれた筒型の形状（略鼓型）を有し、従って、着用者の通常の周囲長は、ウエスト開口周囲部Ａ＞レッグ開口周囲部Ｃ＞胴周囲部Ｂであり、姿勢、活動によるウエスト開口周囲部Ａ、胴周囲部Ｂ、レッグ開口周囲部Ｃの最大変化量（ΔＡ、ΔＢ、ΔＣ）は、△Ａ＞△Ｃ＞△Ｂである。同時に使い捨ておむつの上記各部にかかる応力は、ウエスト開口周囲部Ａ＞レッグ開口周囲部Ｃ＞胴周囲部Ｂの関係になる。
　【００２０】
　【００２１】
　上述した本実施例の使い捨ておむつは、その着用時には、図１の展開した状態から接合部６ａ、６ｂ、７ａ、７ｂを互いに重ねて接合し、図３に示すようなパンツ型を形成する。このパンツ型の状態で、着用者の足をウエスト開口周囲部Ａ、続いてレッグ開口周囲部Ｃに通して引き上げて着用する。
　着用した状態では、着用者のウエスト部ａにウエスト開口周囲部Ａ、着用者の腰骨部付近ｂに胴周囲部Ｂ、股の付け根付近ｃにレッグ開口周囲部Ｃが位置し、ウエスト開口周囲部Ａと一対のレッグ開口周囲部Ｃと胴周囲部Ｂにおいてそれぞれウエストギャザー１３、レッグギャザー１４ａ、１４ｂ、胴周囲ギャザー１７を形成する。
　【００２２】
　この場合、各ギャザー１３、１４ａ、１４ｂ、１７は、それぞれが対応する身体の周囲長さに、着用時の特性等に応じて適当にフィッ
トす
　【００２３】
　また、ウエスト開口周囲部Ａの周囲長は、一般に、着用者の姿勢により最大約５ｃｍ変化することが知られているが、胴周囲部Ｂの周囲長は腰骨部上から臀部を通過しているので着用者の姿勢にはあまり影響されない。
　更に、上述した第１の実施例では、レッグ開口周囲部Ｃのギャザー１４ａ、１４ｂと胴周囲部Ｂのギャザー１７との間に
は伸
　【００２４】
　このような伸縮部材が存在しない領域の幅は１０〜１００ｍｍ、好ましくは１０〜７０ｍｍであり、このように、レッグ開口周囲部Ｃのギャザー１４ａ、１４ｂと胴周囲部Ｂのギャザー１７との間にギャザーが存在しないことにより、伸縮部材による着用者の脚の働きを妨げるということがなく、更に、胴周囲部Ｂのギャザー１７とレッグ開口周囲部Ｃのギャザー１４ａ、１４ｂとが他から影響を受けることなく独自に作用するのでそれぞれのギャザー１７、１４ａ、１４ｂの伸縮物性を損害することがない。従って、第１の実施例の使い捨ておむつによれば優れたフィット性を得ることができる。
　【００２５】
　次に、本発明の好ましい第２の実施例について説明する。
　第２の実施例では、上述した第１の実施例において、ウエスト開口周囲部Ａにおける背側部と腹側部との伸縮応力が異なるように構成されており、その他の点においては、上述の第１の実施例と略同様に構成されている。
　即ち、ウエスト開口周囲部Ａにおける背側部の伸縮部材１１ｂと腹側部の伸縮部材１１ａの伸縮応力が異なるように設定されているが、背側部の伸縮部材１１ｂと腹側部の伸縮部材１１ａの伸縮応力の異なる度合は、おむつの種類、例えば、幼児用や大人用によって異なり、やせ型や肥満型等においても異なるので一概には特定されるものではないが、幼児に対しては背側部の応力を高く設定した方がフィット性及び取扱い上便利である。なぜなら、姿勢による腹囲長の変化は主に腹側部の膨脹、収縮が原因であり、これに追従するためには、腹側部の応力を高くする必要があり、また、寝た切り者に対し、介護者が襁褓を装脱着するにも、腹側部の応力が高い方が操作がし易いからである。具体的には、腹側部１０〜１４０ｇ、好ましくは１０〜９０ｇだけ背側部に比べて腹側部のギャザーの応力が高く設定されていることが望ましい。
　【００２６】
　また、ウエスト開口周囲部Ａの伸縮部材１１ａ、１１ｂの夫々の応力は、ウエスト開口周囲部Ａにおける背側部の伸縮部材１１ｂ及び腹側部の伸縮部材１１ａの２０％伸長時の応力（幅５ｍｍ、長さ１０ｍｍあたり）の最大値がそれぞれ１０〜１２０ｇ、好ましくは１０〜６０ｇ、５０％伸長時の応力（幅５ｍｍ、長さ１０ｍｍあたり）の最大値がそれぞれ２０〜１５０ｇ、好ましくは２０〜１００ｇ、１００％伸長時の応力（幅５ｍｍ、長さ１０ｍｍあたり）の最大値がそれぞれ３０〜２００ｇ、好ましくは３０〜１５０ｇの範囲内のものが用いられる。また、レッグ開口周囲部Ｃの伸縮部材１２ａ、１２ｂ、及び胴周囲部Ｂの伸縮部材１７ａ、１７ｂについてもそれぞれ同様のものが用いられる。
　【００２７】
　この第２の実施例によるパンツ型の使い捨ておむつによれば、上記ウエスト開口周囲部において、腹側と背側の伸縮応力が異なり、それぞれの部分に応じて伸縮応力を付与するので、着用者の身体形状あるいは活動度に応じて身体の各部分にフィットし、着用者を圧迫することなく効果的に漏れ及びずり落ちを防止することができる。
　【００２８】
　また、第２の実施例による使い捨ておむつを用いれば、大人用おむつとして用いた場合、着用者が寝たきりの状態でも、背側部に比べて腹側部の伸縮応力が高いので装脱着しやすい。
　本発明は上述した一実施例に限定されることなく、本発明の要旨を逸脱しない範囲で種々変形可能である。
　【００２９】
　例えば、ウエスト開口周囲部Ａ、レッグ開口周囲部Ｃにおいても一部分、または間欠的に伸縮部材を配置する構成であってもよい。
　【００３０】
　【発明の効果】
　本発明の使い捨ておむつは、吸収性物品の基本性能である排泄物の防漏性及び着用者への追従性に優れるものである。
　更に、介護者が着用させる場合においても側部の伸縮物性が均一でないので、着用時等においても操作し易い。
【図面の簡単な説明】
　【図１】
　本発明の実施例による使い捨ておむつの展開図である。
　【図２】
　図１に示す使い捨ておむつの略半分を拡大して示す平面図である。
　【図３】
　図１に示す使い捨ておむつの着用状態を示す斜視図である。
　【図４】
　使い捨ておむつの着用者への対応個所を示す図である。